(57)【要約】      （修正有）【課題】極めて簡単な構成により、半田付け作業が容易に行えることができるＡＣコードの取付構造およびこのＡＣコードの取付構造を備えた電子機器を提供する。【解決手段】ＡＣコード６と、このＡＣコード６が接続される電源用の導電部４３を有する基板４とを備え、基板４に設けられた挿通孔に、ＡＣコード６の芯線６１の先端部分を挿通し、当該先端部分を、電源用の導電部４３に半田付けするようにしたＡＣコードの取付構造において、挿通孔の一部には、当該挿通孔を狭める方向に突出する突出部７１を形成し、芯線６１が挿通孔から脱落するのを防止する。【選択図】図３
0003129824.tif 000002
【実用新案登録請求の範囲】
【請求項１】
電気要素と、当該電気要素に電力を供給する電源用の基板と、ＡＣコードと、を備え、前記基板は、前記ＡＣコードが接続される電源用の導電部からなるパタンを有し、前記基板に設けられた挿通孔に、前記ＡＣコードの芯線の先端部分を挿通し、当該先端部分を、前記パタンに半田付けするようにした電子機器において、
前記ＡＣコードの芯線は、撚り線からなり、当該撚り線は、先端部分を捻った非半田部と、その先端に予め半田を半田付けした半田部と、を更に備え、前記挿通孔の一部には、当該挿通孔を狭める方向に突出する突出部を形成し、当該突出部における開口の大きさを、前記非半田部の直径と略同じ大きさに設定し、前記撚り線が前記挿通孔から脱落するのを防止するようにしたことを特徴とする電子機器。
【請求項２】
電気要素と、当該電気要素に電力を供給する電源用の基板と、ＡＣコードと、を備え、前記基板は、前記ＡＣコードが接続される電源用の導電部を有し、前記基板に設けられた挿通孔に、前記ＡＣコードの芯線の先端部分を挿通し、当該先端部分を、前記電源用の導電部に半田付けするようにした電子機器において、
前記挿通孔の一部には、当該挿通孔を狭める方向に突出する突出部を形成し、前記芯線が前記挿通孔から脱落するのを防止するようにしたことを特徴とする電子機器。
【請求項３】
ＡＣコードと、このＡＣコードが接続される電源用の導電部を有する基板とを備え、前記基板に設けられた挿通孔に、前記ＡＣコードの芯線の先端部分を挿通し、当該先端部分を、前記電源用の導電部に半田付けするようにしたＡＣコードの取付構造において、
前記挿通孔の一部には、当該挿通孔を狭める方向に突出する突出部を形成し、前記芯線が前記挿通孔から脱落するのを防止するようにしたことを特徴とするＡＣコードの取付構造。
【請求項４】
ＡＣコードと、このＡＣコードが接続される電源用の導電部からなるパタンを有する基板とを備え、前記基板に設けられた挿通孔に、前記ＡＣコードの芯線の先端部分を挿通し、当該先端部分を、前記パタンに半田付けするようにしたＡＣコードの取付構造において、
前記ＡＣコードの芯線は、撚り線からなり、当該撚り線は、先端部分を捻った非半田部と、その先端に予め半田を半田付けした半田部と、を更に備え、前記挿通孔の一部には、当該挿通孔を狭める方向に突出する突出部を形成し、当該突出部における開口の大きさを、前記非半田部の直径と略同じ大きさに設定し、前記撚り線が前記挿通孔から脱落するのを防止するようにしたことを特徴とするＡＣコードの取付構造。
【請求項５】
前記突出部を、円弧状に形成したことを特徴とする請求項３または請求項４に記載のＡＣコードの取付構造。
【請求項６】
前記突出部を、くさび状に形成したことを特徴とする請求項３または請求項４に記載のＡＣコードの取付構造。
【請求項７】
前記突出部の前記芯線に当接する当接面を、凹凸状に形成したことを特徴とする請求項３または請求項４に記載のＡＣコードの取付構造。
【考案の詳細な説明】
【技術分野】
【０００１】
本考案は、例えば、ＡＶ機器などの電子機器のＡＣコードの取付構造およびこのＡＣコードの取付構造を備えた電子機器に関し、特に、電源用の基板の導電部に、ＡＣコードを半田付けする際、その半田付け作業が容易に行えるようにしたものである。
【背景技術】
【０００２】
例えば、テレビジョン受像機、ビデオテープレコーダ、ＣＤプレーヤ、カラオケ装置などのＡＶ機器などは、通常、筐体内部に配設された電気要素に電力を供給するために、筐体内部に配設された電源用の基板の導電部にＡＣコードを接続している。このＡＣコードと、基板の導電部との接続は、例えば、接続端子などが用いられてるが、接続端子を用いると、その分部品点数が増加するとともに、接続端子とＡＣコードとの圧着作業などの工程も増加する。この結果、勢い、この種電子機器が高価なものなる。
【０００３】
この対策として、接続端子を用いないで、直接、電源用の基板の導電部にＡＣコードを半田付けすることも考えられる。例えば、基板の挿通孔にＡＣコードを挿通した状態で、半田付けのために、基板を裏返す（引っくり返す）と、簡単にＡＣコードが、挿通孔から抜け落ちることとなり、半田付け作業に時間が掛かり、実用上問題があった。
【０００４】
従来、例えば、リード線を回路基板に固定するのに、リード線挿通孔に繋がり、リード線の被覆部分を挟持固定するリード線固定孔を設けるようにしたものがある(例えば、特許文献１参照）。
【特許文献１】特開２００１−２４４６５９号公報
【考案の開示】
【考案が解決しようとする課題】
【０００５】
しかし、前述の特許文献１記載の構成は、単に、リード線の固定であって、ＡＣコードを基板の導電部に半田付けするものでなかった。また、リード線固定孔を用いて、ＡＣコードの被覆部分を挟持固定することは、安全上問題があり、実用化できない。
【０００６】
本考案は、上述した問題を解決するためになされたものであり、電源用の基板の導電部に、ＡＣコードを半田付けする際、その半田付け作業が容易に行えることができるＡＣコードの取付構造およびこのＡＣコードの取付構造を備えた電子機器を提供することを目的とする。
【課題を解決するための手段】
【０００７】
かかる目的を達成するため、本考案においては、電気要素と、当該電気要素に電力を供給する電源用の基板と、ＡＣコードと、を備え、基板は、ＡＣコードが接続される電源用の導電部からなるパタンを有し、基板に設けられた挿通孔に、ＡＣコードの芯線の先端部分を挿通し、当該先端部分を、パタンに半田付けするようにした電子機器において、ＡＣコードの芯線は、撚り線からなり、当該撚り線は、先端部分を捻った非半田部と、その先端に予め半田を半田付けした半田部と、を更に備え、挿通孔の一部には、当該挿通孔を狭める方向に突出する突出部を形成し、当該突出部における開口の大きさを、非半田部の直径と略同じ大きさに設定し、撚り線が挿通孔から脱落するのを防止する。
【０００８】
この構成によれば、挿通孔の撚り線が挿通されている部分の開口は、挿通孔を狭める方向に突出して形成された突出部により、撚り線の非半田部の直径と略同じ大きさに設定されている。しかも、芯線は、撚り線からなり先端部分を捻った非半田部の先端に予め半田を半田付けした半田部を備えているため、撚り線の非半田部が、突出部に接触して引っ掛かる。従って、ＡＣコードの撚り線からなる芯線の先端部分を基板の挿通孔に挿通した状態で、半田付けのために、基板を裏返しても、ＡＣコードは、挿通孔から容易に抜けなくなる。この結果、この種電子機器のＡＣコードの半田付け作業が行い易く、作業時間を短縮することができる。更に、撚り線からなる芯線の先端は、半田部であるので、挿通孔への挿通は、極めて簡単に行うことができ、都合がよい。
【０００９】
また、本考案においては、電気要素と、当該電気要素に電力を供給する電源用の基板と、ＡＣコードと、を備え、基板は、ＡＣコードが接続される電源用の導電部を有し、基板に設けられた挿通孔に、ＡＣコードの芯線の先端部分を挿通し、当該先端部分を、電源用の導電部に半田付けするようにした電子機器において、挿通孔の一部には、当該挿通孔を狭める方向に突出する突出部を形成し、芯線が挿通孔から脱落するのを防止する。
【００１０】
この構成によれば、挿通孔の芯線が挿通されている部分の開口は、挿通孔を狭める方向に突出した突出部が形成されている。従って、ＡＣコードの芯線の先端部分を基板の挿通孔に挿通した状態で、半田付けのために、基板を裏返しても、芯線は、突出部に接触して引っ掛かり、挿通孔から容易に抜けなくなる。この結果、この種半田付け作業が行い易く、作業時間の短縮が可能となり、安価な電子機器を提供することができる。
【００１１】
また、本考案においては、ＡＣコードと、このＡＣコードが接続される電源用の導電部を有する基板とを備え、基板に設けられた挿通孔に、ＡＣコードの芯線の先端部分を挿通し、当該先端部分を、電源用の導電部に半田付けするようにしたＡＣコードの取付構造において、挿通孔の一部には、当該挿通孔を狭める方向に突出する突出部を形成し、芯線が挿通孔から脱落するのを防止する。
【００１２】
この構成によれば、挿通孔の芯線が挿通されている部分の開口は、挿通孔を狭める方向に突出した突出部が形成されている。従って、ＡＣコードの芯線の先端部分を基板の挿通孔に挿通した状態で、半田付けのために、基板を裏返しても、芯線は、突出部に接触して引っ掛かり、挿通孔から容易に抜けなくなる。この結果、この種半田付け作業が行い易く、作業時間の短縮が可能となり、安価なＡＣコードの取付構造を実用化することができる。
【００１３】
また、本考案では、ＡＣコードと、このＡＣコードが接続される電源用の導電部からなるパタンを有する基板とを備え、基板に設けられた挿通孔に、ＡＣコードの芯線の先端部分を挿通し、当該先端部分を、パタンに半田付けするようにしたＡＣコードの取付構造において、ＡＣコードの芯線は、撚り線からなり、当該撚り線は、先端部分を捻った非半田部と、その先端に予め半田を半田付けした半田部と、を更に備え、挿通孔の一部には、当該挿通孔を狭める方向に突出する突出部を形成し、当該突出部における開口の大きさを、非半田部の直径と略同じ大きさに設定し、撚り線が挿通孔から脱落するのを防止する。
【００１４】
この構成によれば、挿通孔の撚り線が挿通されている部分の開口は、挿通孔を狭める方向に突出して形成された突出部により、撚り線の非半田部の直径と略同じ大きさに設定されている。しかも、芯線は、撚り線からなり先端部分を捻った非半田部の先端に予め半田を半田付けした半田部を備えているため、撚り線の非半田部が、突出部に接触して引っ掛かる。従って、ＡＣコードの撚り線からなる芯線の先端部分を基板の挿通孔に挿通した状態で、半田付けのために、基板を裏返しても、ＡＣコードは、挿通孔から容易に抜けなくなる。この結果、この種半田付け作業が行い易く、作業時間を短縮することができる。更に、撚り線からなる芯線の先端は、半田部であるので、挿通孔への挿通は、極めて簡単に行うことができ、都合がよい。
【００１５】
また、本考案においては、突出部を、円弧状に形成する。この構成によれば、芯線が突出部に接触しても損傷されることがないので、都合がよい。
【００１６】
また、本考案においては、突出部を、くさび状に形成する。この構成によれば、芯線は、くさび状に形成された突出部により、より強固に保持されるので、芯線が挿通孔からより抜けなくなり、都合がよい。
【００１７】
更に、本考案においては、突出部の芯線に当接する当接面を、凹凸状に形成する。この構成によれば、芯線は、当接面が凹凸状に形成された突出部により、より強固に保持されるので、芯線が挿通孔からより抜けなくなり、都合がよい。
【考案の効果】
【００１８】
本考案によれば、極めて簡単な構成により、半田付け作業が容易に行えることができるＡＣコードの取付構造およびこのＡＣコードの取付構造を備えた電子機器を得ることができる。
【考案を実施するための最良の形態】
【００１９】
（第１実施形態）
以下、本考案の第１実施形態を図１乃至図５に基づいて説明する。図１は、本考案の一実施形態に係る電子機器であるテレビジョンの概略構成を示す一部断面図、図２は、図１に示す基板の要部の一部を示す平面図、図３は、基板にＡＣコードを半田付けした状態を示す要部拡大図である。図４は、ＡＣコードの一例を示す概略平面図、図５は、基板に設けた挿通孔とＡＣコードとの関係を示す説明図である。
【００２０】
図１に示すように、電子機器であるテレビジョン１は、例えば、フロントケース部２１と、リアケース部２２とからなるケース２内に、電気要素である、例えば、外部から受信した映像を表示するＣＲＴ３（Ｃａｔｈｏｄｅ Ｒａｙ Ｔｕｂｅ：陰極線管）、およびフライバックトランス４１や電源ユニット４２などを実装したメインの基板、例えば、プリント回路基板４が収納されている。プリント回路基板４は、例えば、ケース２の底部に設けられたシャーシ５に支持固定されている。また、プリント回路基板４の電源用の導電部４３（図３参照）には、ＡＣコード６が、後述するように電気的に接続され、例えば、リアケース部２２から、外部に導出されている。このＡＣコード６は、テレビジョン１に電力を供給するために図示しない交流電源に、使用者により接続される。
【００２１】
かかる構成により、使用者は、例えば、テレビジョン１の電源をオンし、所望のチャンネルに設定することにより、ＣＲＴ３に映し出された画像を観ることができ、また、図示しないスピーカから音声を聴くことができる。
【００２２】
而して、本考案に従い、ＡＣコード６の芯線は、例えば、図３および図４に示すように、複数本の導線を撚り合わせた撚り線６１からなり、当該撚り線６１は、先端部分を捻った非半田部６１ａと、その先端に予め半田を半田付けした半田部６１ｂとを備えている。また、ＡＣコード６が接続されるプリント回路基板４には、図２および図３に示すように、電源用の導電部、例えば、導電性のパタン４３が形成され、当該パタン４３のＡＣコード６と接続する部分には、図２および図３に示すように、ＡＣコード６の撚り線６１の先端部分を挿通する挿通孔７が形成されている。
【００２３】
この挿通孔７には、例えば、図５に示すように、当該挿通孔７を狭める方向（図５において矢印Ｘでしめす方向）に突出する円弧状の形状をした突出部７１が形成されている。そして、当該突出部７１における開口ｔ１の大きさは、撚り線６１の非半田部６１ａの直径ｔ２と略同じ大きさに設定し、撚り線６１が挿通孔７１から脱落するのを防止するように構成されている。なお、図３において、８は、半田部で、この半田部８により、撚り線６１の半田部６１ｂをパタン４３に半田付けしている。
【００２４】
次に、プリント回路基板４の電源用の導電部であるパタン４３にＡＣコード６を電気的に接続する手順について説明する。先ず、図３に示すように、プリント回路基板４の上方から撚り線６１の先端部分を、プリント回路基板４の挿通孔７に挿通し、捻った非半田部６１ａが挿通孔７の側面に接するようにする。しかる後、プリント回路基板４を裏返し（図５の状態を１８０度反転する）、撚り線６１の半田部６１ｂをパタン４３に接するように折り曲げ、図示しない半田鏝を用いて、半田部６１ｂをパタン４３に半田付けする。これにより、半田付け作業は、終了する。
【００２５】
以上の構成による本実施形態では、挿通孔７の撚り線６１が挿通されている部分の開口ｔ１は、挿通孔７を狭める方向に突出して形成された突出部７１により、撚り線６１の非半田部６１ａの直径ｔ２と略同じ大きさに設定されている。しかも、芯線は、撚り線６１からなり、先端部分を捻った非半田部６１ａを備えているため、撚り線６１の非半田部６１ａが、突出部７１に接触して引っ掛かる。従って、ＡＣコード６の撚り線６１の先端部分をプリント回路基板４の挿通孔７に挿通した状態で、半田付けのために、プリント基板装置４を裏返しても、ＡＣコード６は、挿通孔７から容易に抜けなくなる。この結果、この種半田付け作業が行い易く、作業時間を短縮することができる。更に、撚り線６１の先端は、半田部６１ｂであるので、挿通孔７への挿通は、極めて簡単に行うことができ、都合がよい。
【００２６】
また、本実施形態のように、突出部７１を円弧状に形成すると、撚り線６１が突出部７１に接触しても損傷されることがないので、都合がよい。更に、撚り線６１の先端に予め半田を半田付けした半田部６１ｂを有するＡＣコード６を用いると、上述した半田付けの際に、半田部６１ｂの半田も溶融し、半田作業をより効率的に行うことができ、都合がよい。
【００２７】
（第２実施形態）
次に、本考案の第２実施形態について図６を参照しながら説明する。図６は、本考案の第２実施形態に係る基板に設けた挿通孔とＡＣコードとの関係を示す説明図である。なお、図６において、上述した図１乃至図５と同じ符号を付した部分は、略同一のものを示すため、ここでは詳細な説明は省略する。以下、上述した実施形態との相違点を中心に説明する。
【００２８】
本実施形態では、図６に示すように、上述した実施形態と同様、挿通孔７の芯線、例えば、撚り線６１が挿通されている部分の開口ｔ１は、挿通孔７を狭める方向に突出して形成されたくさび状の突出部７１により、撚り線６１の非半田部６１ａの直径ｔ２と略同じ大きさに設定されている。
【００２９】
以上の構成による本実施形態よれば、上述した実施形態と同様の作用効果を奏する他、撚り線６１の非半田部６１ａは、くさび状に形成された突出部７１により、より強固に保持されるので、撚り線６１が挿通孔７からより抜けなくなり、都合がよい。
【００３０】
（第３実施形態）
次に、本考案の第３実施形態について図７を参照しながら説明する。図７は、本考案の第３実施形態に係る基板に設けた挿通孔とＡＣコードとの関係を示す説明図である。なお、図７において、上述した図１乃至図６と同じ符号を付した部分は、略同一のものを示すため、ここでは詳細な説明は省略する。以下、上述した実施形態との相違点を中心に説明する。
【００３１】
本実施形態では、図７に示すように、上述した実施形態と同様、挿通孔７の芯線、例えば、撚り線６１が挿通される部分は、挿通孔７を狭める方向に突出した突出部７１が形成され、この突出部７１の撚り線６１に当接する当接面は、凹凸状に形成されている。そして、撚り線６１が挿通される部分の開口ｔ１は、撚り線６１の非半田部６１ａの直径ｔ２と略同じ大きさに設定されている。
【００３２】
以上の構成による本実施形態よれば、上述した実施形態と同様の作用効果を奏する他、撚り線６１の非半田部６１ａは、当接面が凹凸状に形成された突出部７１により、より強固に保持されるので、撚り線６１が挿通孔７からより抜けなくなり、都合がよい。
【００３３】
なお、上述した各実施形態は、本考案の好適な実施例であるが、本考案はこれに限定されるものではなく、本考案の要旨を逸脱しない範囲において、種々変形実施可能である。
【００３４】
例えば、上述した各実施形態では、挿通孔７の芯線６１が挿通される部分の開口ｔ１と、芯線６１の直径ｔ２と略同じ大きさとしたが、開口ｔ１を芯線６１の直径ｔ２より若干大きくしてもよいのは、勿論である。また、この場合、芯線として撚り線６１を用いた場合は、必要に応じて、挿通孔７に撚り線６１を挿通した後、少し撚り線６１が膨らむように撚りを戻すなどして、該部の直径ｔ２が大きくなるようにしてもよいのは、勿論である。
【００３５】
更に、上述の実施形態では、テレビジョン受像機について詳述したが、ビデオテープレコーダ、ＣＤプレーヤ、カラオケ装置などのＡＶ機器など他の電子機器に本考案を適用してもよいのは、勿論である。
【図面の簡単な説明】
【００３６】
【図１】本考案の一実施形態に係る電子機器であるテレビジョンの概略構成を示す一部断面図である。
【図２】図１に示す基板の要部の一部を示す平面図である。
【図３】基板にＡＣコードを半田付けした状態を示す要部拡大図である。
【図４】ＡＣコードの一例を示す概略平面図である。
【図５】基板に設けた挿通孔とＡＣコードとの関係を示す説明図である。
【図６】本考案の第２実施形態に係る基板に設けた挿通孔とＡＣコードとの関係を示す説明図である。
【図７】図７は、本考案の第３実施形態に係る基板に設けた挿通孔とＡＣコードとの関係を示す説明図である。
【符号の説明】
【００３７】
１      電子機器（テレビジョン）
４      基板（プリント回路基板）
４３    導電部（パタン）
６      ＡＣコード
６１    芯線（撚り線）
６１ａ  非半田部
６１ｂ  半田部
７      挿通孔
７１    突出部
ｔ１    開口
ｔ２    直径
【図１】
0003129824.tif 000003
【図２】
0003129824.tif 000004
【図３】
0003129824.tif 000005
【図４】
0003129824.tif 000006
【図５】
0003129824.tif 000007
【図６】
0003129824.tif 000008
【図７】
0003129824.tif 000009